(57)【要約】【課題】男性小便の場合には洗浄時に排水される水の量を少なくして節水でき、また大便の場合には汚物を確実に排出してボウル内を綺麗に洗浄でき、しかもボウル内の溜水に菌が繁殖することを防止する目的で洗浄時にボウル内の溜水の全てを新たな水に入れ替えるように設定した場合にも上記男性小便時の節水を実現できる【解決手段】ボウル１内の溜水を排出すると共に給水手段３によりボウル１内に水を供給してボウル１内に通常水位の溜水を溜める。給水手段３によりボウル１内に水を供給して洗浄時に排水されるボウル１内の溜水の水位を通常水位よりも高い高水位に変更するための水位変更手段を設ける。【選択図】図１
2007224524.tif 000002
【特許請求の範囲】
【請求項１】
ボウル内の溜水を排出すると共に給水手段によりボウル内に水を供給してボウル内に通常水位の溜水を溜める便器装置において、給水手段によりボウル内に水を供給することでボウル内の溜水の水位を通常水位よりも高い高水位に変更するための水位変更手段を設けて成ることを特徴とする便器装置。
【請求項２】
水位変更手段は、便座に人が着座したことを検知する着座検知手段と、着座検知手段により便座に人が着座したことを検知した場合に給水手段によりボウル内に水を自動的に供給して、ボウル内の溜水の水位を通常水位から高水位に変更する制御手段とで構成されることを特徴とする請求項１に記載の便器装置。
【請求項３】
水位変更手段は給水手段でボウル内に水を供給するか否かを切換える操作部で構成されることを特徴とする請求項１に記載の便器装置。
【請求項４】
制御手段は、着座検知手段により予め設定された設定時間継続して便座に人が着座したことを検知した場合に給水手段によりボウル内に水を供給してボウル内の溜水の水位を高水位に変更するものであることを特徴とする請求項２に記載の便器装置。
【請求項５】
制御手段は、着座検知手段により便座に人が着座したことを検知した際に給水手段によりボウル内に水を供給してボウル内の溜水の水位を通常水位から通常水位よりも高い中水位に変更し、この後、便座に人が着座した時から上記設定時間継続して便座に人が着座した場合に給水手段によりボウル内に水を供給してボウル内の溜水の水位を中水位から該中水位よりも高い上記高水位に変更するものであることを特徴とする請求項４に記載の便器装置。
【請求項６】
上記給水手段は、ボウルの内面において上記通常水位とした時のボウル内の溜水の水位よりも上方に位置する部分に水を供給するものであることを特徴とする請求項５に記載の便器装置。
【請求項７】
上記ボウル内の溜水の水位を通常水位から中水位に変更する際に給水手段によりボウル内に供給される水に洗剤を混入する洗剤供給装置を設けて成ることを特徴とする請求項６に記載の便器装置。
【請求項８】
上記ボウル内の溜水の水位を通常水位から中水位に変更する際に給水手段によりボウル内に供給される水に気泡を混入する気泡混入装置を設けて成ることを特徴とする請求項６又は請求項７に記載の便器装置。
【発明の詳細な説明】
【技術分野】
【０００１】
本発明はボウル内の溜水を排出してボウル内を洗浄する便器装置に関する。
【背景技術】
【０００２】
一般的な便器装置は例えば特許文献１のようにボウルの底部にトラップ部を設けて封水し、これにより排水先からトイレ室内に虫や小動物、臭い等が侵入することを防止している。
【０００３】
ところでこの種の便器装置は、便器使用後に給水手段によりボウル内に水を供給すると共に該ボウル内の溜水を排出してボウルの内面を洗浄し、ボウル内の溜水を排出した直後に給水手段によりボウル内に水を供給し、これによりボウル内の溜水の水位が一定の水位となって次回の便器の洗浄に備えられる。
【０００４】
ここで例えばボウル内の溜水の水位を低く設定した場合、洗浄時にボウルから排出される水による汚物を搬送する能力が低く、また溜水よりも上方に位置するボウルの内面に汚物が付着しやすく、このため小便時には問題はないが大便時にはボウル内を綺麗に洗浄できない場合がある。このため従来ではボウル内の溜水の水位を汚物を綺麗に洗浄できる程度に高く設定してあるが、この場合は小便時においてもボウル洗浄時に多量の溜水が排出され、無駄に水を消費してしまう。また小便の場合の洗浄時に給水手段から少量の水をボウル内に供給して、ボウル内の溜水の一部だけを排出することは考えられるが、この場合にはボウル内の溜水に菌が繁殖する恐れがあり衛生的ではない。
【特許文献１】特開平１１−１４０９４０号公報
【発明の開示】
【発明が解決しようとする課題】
【０００５】
本発明は上記従来の問題点に鑑みて発明したものであって、小便の場合には洗浄時に排出される水の量を少なくして節水でき、また大便の場合には汚物を確実に排出してボウル内を綺麗に洗浄でき、しかもボウル内の溜水に菌が繁殖することを防止する目的で、洗浄時にボウル内の溜水の全てを新たな水に入れ替えるように設定した場合にも上記小便の場合における節水を実現できる便器装置を提供することを課題とするものである。
【課題を解決するための手段】
【０００６】
上記課題を解決するために本発明に係る便器装置は、ボウル１内の溜水を排出すると共に給水手段３によりボウル１内に水を供給してボウル１内に通常水位の溜水を溜める便器装置において、給水手段３によりボウル１内に水を供給することで、ボウル１内の溜水の水位を通常水位よりも高い高水位に変更するための水位変更手段を設けて成ることを特徴とする。このような構成を有することで、洗浄時の排水による搬送能力が比較的低くても良い小便の場合には、ボウル１内の溜水の水位を通常水位として、洗浄時に排出される溜水の量を少なくして節水でき、また洗浄時の排水による搬送能力を必要とする大便の場合には、ボウル１内の溜水の水位を高水位として汚物を確実に排出してボウル１内を綺麗に洗浄できる。またボウル１内の溜水に菌が残って繁殖することを防止する目的で、洗浄時においてボウル１内の溜水の水位に関わらずボウル１内の溜水の全てをボウル１から排出するように設定した場合にも、上記節水を実現しつつボウル１内の溜水の全てを給水手段３から供給された新たな水に入れ替えることができる。
【０００７】
また水位変更手段は、便座２に人が着座したことを検知する着座検知手段８と、着座検知手段８により便座２に人が着座したことを検知した場合に給水手段３によりボウル１内に水を自動的に供給して、ボウル１内の溜水の水位を通常水位から高水位に変更する制御手段とで構成されることが好ましい。この場合、制御手段は、便座２に人が着座していない場合には男性が小便すると仮定してボウル１内の溜水の水位を通常水位に保持し、また着座検知手段８により便座２に人が着座したことを検知した場合には使用者が大便すると仮定してボウル１内の溜水の水位を自動的に高水位に変更できて、ボウル１内の溜水の水位を使用形態に対応して自動的に変更できる。
【０００８】
また水位変更手段は給水手段３でボウル１内に水を供給するか否かを切換える操作部１２で構成されることが好ましい。簡単な構成で水位変更手段を構成でき、また使用者により溜水の水位を変更できる。
【０００９】
また制御手段は、着座検知手段８により予め設定された設定時間ｔ４継続して便座２に人が着座したことを検知した場合に給水手段３によりボウル１内に水を供給してボウル１内の溜水の水位を高水位に変更するものであることが好ましい。便座２に設定時間ｔ４継続して人が着座したことを検知した場合にのみボウル１内の溜水の水位を高水位に変更することができて、比較的短時間ですむ女性小便時にボウル１内の溜水の水位が高水位に変更されることを防止でき、大便で使用される場合にのみボウル１内の溜水の水位を確実に高水位に変更できる。
【００１０】
また制御手段は、着座検知手段８により便座２に人が着座したことを検知した際に給水手段３によりボウル１内に水を供給してボウル１内の溜水の水位を通常水位から通常水位よりも高い中水位に変更し、この後、便座２に人が着座した時から上記設定時間ｔ４継続して便座２に人が着座した場合に給水手段３によりボウル１内に水を供給してボウル１内の溜水の水位を中水位から該中水位よりも高い上記高水位に変更するものであることが好ましい。この場合、比較的短時間ですむ女性小便の場合にはボウル１内の溜水の水位を通常水位よりも低い中水位として、後の洗浄時の排水による搬送能力を通常水位の時よりも高めることができ、これにより女性小便時に利用された紙を確実にボウル１外へ排出できる。またこの女性小便の場合においてもボウル１内の溜水の水位を高水位よりも低い中水位にして、洗浄時に排出される溜水の量を少なくして節水できる。
【００１１】
また上記給水手段３は、ボウル１の内面において少なくとも上記通常水位とした時のボウル１内の溜水の水位よりも上方に位置する部分に水を供給するものであることが好ましい。前述の制御手段は、着座検知手段８により上記設定時間ｔ４継続して便座２に人が着座したことを検知した場合、即ち男性大便や女性大便の場合には、ボウル１内の溜水の水位を通常水位から中水位とした後に高水位に変更することができるが、ここでボウル１内の溜水の水位を通常水位から中水位とする場合に給水手段３によりボウル１内に供給される水でボウル１の内面における溜水よりも上方の部分をプレ洗浄でき、これによりボウル１の内面が汚れることを防止できる。
【００１２】
また上記ボウル１内の溜水の水位を通常水位から中水位に変更する際に給水手段３によりボウル１内に供給される水に洗剤を混入する洗剤供給装置９を設けることが好ましい。上記プレ洗浄の際に洗剤を含む水でボウル１の内面を洗浄できる。
【００１３】
また上記ボウル１内の溜水の水位を通常水位から中水位に変更する際に給水手段３によりボウル１内に供給される水に気泡を混入する気泡混入装置１０を設けることが好ましい。上記プレ洗浄の際に気泡を含む水からなる泡層でボウル１の内面を保護して排便時にボウル１の内面に汚物が付着することを一層防止できる。
【発明の効果】
【００１４】
本発明では小便の場合には洗浄時に排出される溜水の量を少なくして節水でき、また大便の場合には汚物を確実に排出してボウル内を綺麗に洗浄でき、しかもボウル内の溜水に菌が残って繁殖することを防止する目的で、ボウル内の溜水の水位に関わらず洗浄時においてボウル内の溜水の全てをボウルから排出するように設定した場合に、上記節水を実現しつつボウル内の溜水の全てを給水手段から供給された新たな水に入れ替えることができる。
【発明を実施するための最良の形態】
【００１５】
以下、本発明を添付図面に示す実施形態に基いて説明する。図１に示す本実施形態の一例の便器装置は、一般の着座式水洗便器と同様、ボウル１と、ボウル１上に配設される開閉自在な便座２と、ボウル１内に水を供給する給水手段３を備えている。
【００１６】
給水手段３としては給水と同時にボウル１の溜水上の内面をも洗浄できるように、ボウル１の内面における溜水の水面（詳しくは後述の高水位時の溜水の水面）よりも上方に位置する上端部の周部に水を供給するものを用いる。ここで給水手段３からボウル１内に水を供給するか否かを切換える手段として、ボウル１内に供給される水の流路３ａには開閉弁３ｂを設けてあり、開閉弁３ｂを開にした場合には給水手段３から一定流量の水がボウル１内に供給されてボウル１内を洗浄できるようになっている。具体的には開閉弁３ｂを開にした状態では１７．５Ｌ／分の水を常にボウル１内に供給するように設定してある。
【００１７】
またボウル１の底部にはトラップ部として上下反転可能なターントラップ４を設けている。ターントラップ４は屈曲変形可能な管状の部材からなり、その一端をボウル１の底部から突出して設けた排水口部１ａに接続すると共に共に他端をシュート５内で開放している。ターントラップ４はモータ装置６を駆動することで、屈曲変形して自由端となった他端開口からなる排出口４ａを図１の実線に示す上側に向けた状態と破線に示す下側に向けた状態とに反転できるようにしている。従ってモータ装置６を駆動することで、ターントラップ４は排出口４ａを上向きにしてボウル１内に水を溜める状態と、排出口４ａを下向にしてボウル１内の水を排出する状態とに切換えられるようになっている。
【００１８】
図２に示すように上記ターントラップ４を駆動するモータ装置６とボウル１内に洗浄用の水を供給するか否かを切換える開閉弁３ｂは制御部７に電気的に接続している。そして制御部７にはスイッチ等からなる洗浄用操作部１１を接続してあり、洗浄用操作部１１を手動操作することで制御部７は以下に示すように開閉弁３ｂ及びモータ装置６を制御してボウル１内を洗浄できるようになっている。
【００１９】
即ち制御部７は、開閉弁３ｂが閉で且つターントラップ４の排出口４ａが上向きの状態（つまりボウル１内に溜水が溜められている状態）で洗浄用操作部１１が操作されると、図３〜５に示すように、開閉弁３ｂを開いて給水手段３によるボウル１内への水の供給を開始し、同時にターントラップ４の排出口４ａを下向きとしてボウル１内の水の排出を開始する。次に制御部７は、前記ターントラップ４の排出口４ａを下向きにしてボウル１からの水の排出を開始した時（即ち開閉弁３ｂを開にした時）から予め設定した所定時間ｔ１が経過した時にターントラップ４の排出口４ａを上向きとしてボウル１内の水の排出を停止する。これにより給水手段３によりボウル１内へ供給された水と共にボウル１内に予め溜められた溜水の全てが排水口部１ａ、ターントラップ４、シュート５の流出口５ａを順に介して排出されることとなる。そしてこの後、前記開閉弁３ｂを開にした時から予め設定した所定時間ｔ２（ｔ２＞ｔ１）が経過した時点で開状態にある開閉弁３ｂを閉じて給水手段３によるボウル１内への水の供給を停止する。これにより前記排水を停止した時点以降は、給水手段３によりボウル１内に供給された水が排水されずにターントラップ４内及びボウル１内に徐々に溜められることとなり、しかして前記給水を停止した時点ではボウル１内の溜水の水位は常に図１の実線イで示す通常水位となる。具体的にはターントラップ４の排出口４ａを下向きにした時点から５秒経過した時点でターントラップ４の排出口４ａを上向きとし、さらに５秒経過した時点（即ち開閉弁３ｂを開にした時点から１０秒経過した時点）で開閉弁３ｂを閉じ、この後、１．４６Ｌの量の水をボウル１内に供給して通常水位とする。これによりボウル１内で通常水位まで溜められた溜水の量は１．４６Ｌとなる。
【００２０】
上記通常水位は上向きとなったターントラップ４の排出口４ａの高さによって決定される最高水位よりもかなり低く設定してあるが、ボウル１の排水口部１ａよりも上方に位置しており、これにより以後ボウル１内に溜水が溜められた状態ではターントラップ４が封水されて、排水先からトイレ室内に虫や小動物、臭い等が侵入することが防止される。
【００２１】
ここで本発明の便器装置には上記ボウル１内の溜水の水位を通常水位よりも高い図１の破線ロに示す高水位に変更するための水位変更手段を設けてあり、本例では水位変更手段として、便座２に人が着座したことを検知する着座検知手段８と、着座検知手段８により便座２に人が着座したことを検知した場合に給水手段３によりボウル１内に水を自動的に供給して、ボウル１内の溜水の水位を通常水位から高水位に変更する制御手段とを設けている。
【００２２】
着座検知手段８としては、便座２に設けた圧力センサーや、タッチセンサー、赤外線センサー等の従来から知られている便座２に人が着座した状態にあるか否かを常時検知可能な着座検知センサーが用いられる。
【００２３】
また制御手段は上記着座検知手段８が接続された制御部７により構成している。制御部７は図３〜５に示すように着座検知手段８で便座２に人が着座したことを検知するまでは開閉弁３ｂを閉で且つターントラップ４の排出口４ａを上向きとした状態とする。そして図４及び図５のように着座検知手段８により便座２に人が着座したことを検知した場合には、制御部７はまずこの時に開閉弁３ｂを一定時間ｔ３だけ開にし、これによりボウル１内に所定量の水を供給してボウル１内の溜水の水位を通常水位から通常水位よりも一段高い図１の破線ハに示す中水位に変更する。具体的には溜水が通常水位にある時に着座検知手段８により着座を検知した場合、開閉弁３ｂを５秒間開にしてボウル１内に１．４６Ｌの水を供給して合計２．９２Ｌの溜水を溜めて中水位とする。
【００２４】
そしてこの後、図５のように着座検知手段８により便座２に人が着座した時から予め設定した設定時間ｔ４継続して便座２に人が着座したことを検知した場合には、制御部７はこの時から開閉弁３ｂを一定時間ｔ５（実施例ではｔ５＝ｔ３）だけ開にし、これによりボウル１内に所定量の水を供給してボウル１内の溜水の水位を中水位から高水位に変更する。具体的には３０秒継続して便座２に人が着座したことを検知した場合に、開閉弁３ｂを５秒間開にしてボウル１内に１．４６Ｌの水を供給して合計４．３８Ｌの溜水を溜めて高水位とする。
【００２５】
上記制御により、男性小便の時には図３、女性小便の時には図４、男性大便及び女性大便の時には図５のようにボウル１内への水の供給と排水を行うことができる。
【００２６】
即ち図３に示す男性小便時には通常は着座検知手段８で便座２に人が着座したことが検知されないため、制御部７は洗浄前においては給水手段３によりボウル１内に水を供給しない。従って男性が小便をすませて洗浄用操作部１１が操作された時点（即ち図３のＸに示す時点）では溜水の水位が通常水位程度であり、この場合、洗浄用操作部１１の一回の操作によりボウル１外に排出される水の量は、通常水位まで溜められた溜水の量１．４６Ｌとターントラップ４の排出口４ａを下向きにしている間にボウル１内に供給された水の量１．４６Ｌとを合わせた２．９２Ｌとなる。これにより男性小便時には少量の水しかボウル１外に排出されず節水できる。また洗浄用操作部１１の操作による洗浄時にはボウル１内の溜水の全てを排水して入れ替えることができるのでボウル１内に菌が繁殖することも防止できる。
【００２７】
また図４に示す女性小便の時には通常は着座検知手段８で便座２に人が着座したことが検知され、またこの後設定時間ｔ４が経過する前までに離座が検知される。従って制御部７は便座２に人が着座した時に給水手段３によりボウル１内に水を供給して通常水位にある溜水の水位を中水位とし、この後の洗浄前においてはボウル１内に水を供給しない。この場合、女性が小便をすませて洗浄用操作部１１が操作された時点（即ち図４のＹに示す時点）では溜水の水位が中水位程度となっているので、洗浄用操作部１１の一回の操作によりボウル１外に排出される水の量は、中水位まで溜められた溜水の量２．９２Ｌとターントラップ４の排出口４ａを下向きにしている間にボウル１内に供給された水の量１．４６Ｌとを合わせた４．３８Ｌとなる。ここで通常は女性が小便をすませた後には利用された紙がボウル１内に投入されるが、本例では上記のように女性が小便をすませた後における溜水の水位は通常水位よりも一段高い中水位程度となるので、洗浄用操作部１１の操作によって行われる洗浄時の排水による搬送能力を通常水位の時よりも高めることができ、これにより女性小便時にボウル１内に投入された紙のボウル１外への排出を確実に行える。また女性小便時においても後述の大便時と比較して少量の溜水しかボウル１外に排出されないので節水できる。
【００２８】
また図５に示す男性大便及び女性大便の時には通常着座検知手段８で便座２に人が着座したことが検知され、またこの後、便座２に着座した時から設定時間ｔ４継続して便座２に人が着座したことが検知される。従って制御部７は着座した時に給水手段３によりボウル１内に水を供給して通常水位にある溜水の水位を中水位とし、この後設定時間ｔ４が経過した時に給水手段３によりさらにボウル１内に水を供給して中水位にある溜水の水位を高水位とする。この場合、男性又は女性が大便をすませて洗浄用操作部１１が操作された時点（即ち図５のＹに示す時点）ではボウル１内の溜水の水位が高水位程度となるので、洗浄用操作部１１の一回の操作によりボウル１外に排出される水の量は、高水位まで溜められた溜水の量４．３８Ｌとターントラップ４の排出口４ａを下向きにしている間にボウル１内に供給された水の量１．４６Ｌとを合わせた５．８４Ｌとなる。これにより男性大便時及び女性大便時においては洗浄用操作部１１の操作により排水した時の汚物の搬送能力を前記通常水位の時や中水位の時よりも高めることができ、汚物をボウル１外に確実に排出できる。またこの場合、溜水は高水位にあるのでボウル１の内面に汚物が付着し難く、綺麗にボウル１内を洗浄できる。また着座検知手段８により便座２に人が着座したことを検知した時に給水手段３によりボウル１内に供給される水（即ち溜水を中水位とするためにボウル１内に供給される水）は溜水よりも上方のボウル１の内面に沿って流れた後、ボウル１内に溜められるので、ボウル１の内面を給水手段３から供給された水によりプレ洗浄（前洗浄）でき、これによりボウル１の内面に汚物が付着することをより一層防止できる。
【００２９】
また上記実施例における便器装置において、ボウル１内の溜水の水位を通常水位から中水位に変更する際に給水手段３によりボウル１内に供給される水に洗剤を混入する洗剤供給装置９を設けても良い。洗剤供給装置９は溜水の水位を通常水位から中水位に変更する際に給水手段３によりボウル１内に供給される水（即ち図４及び図５においてプレ洗浄に用いられる水）に洗剤を供給するものであって、例えば図６に示すように給水手段３を構成する流路３ａの途中に接続されて流路３ａを流れる水に洗剤を供給するものが用いられる。また洗剤供給装置９により供給される洗剤としては例えば１０００倍〜５００００倍に水で希釈して用いられる家庭用一般洗剤の原液が用いられ、洗剤供給装置９はこの洗剤を任意の希釈倍率となるように上記プレ洗浄に用いられる水に自動的に供給する。これにより少量の洗剤でボウル１の内面の防汚効果を効率的に高めることができ、また後に溜水を排出する時にはボウル１の内面を効果的に洗浄できる。なお上記洗剤供給装置９は溜水の水位を通常水位から中水位に変更する際に給水手段３によりボウル１内に供給される水（即ち図４及び図５においてプレ洗浄に用いられる水）にのみ洗剤を供給するものであっても良いし、これ以外の給水手段３によりボウル１内に供給される水にも洗剤を供給するものであっても良い。
【００３０】
また上記実施例における便器装置において、ボウル１内の溜水の水位を通常水位から中水位に変更する際に給水手段３によりボウル１内に供給される水に気泡を混入する気泡混入装置１０を設けても良い。気泡混入装置１０としては例えば図６に示すように給水手段３を構成する流路３ａの途中に設けられて給水時におけるエジェクタ効果を利用して流路３ａ内の流れる水に気泡となる外気を混入するものが用いられる。これにより気泡を含む水からなる泡層でボウル１の内面を保護して排便時の汚物付着性を低下できる。また図６のように気泡混入装置１０及び洗剤供給装置９の両方を設けたものにあっては、洗剤を混入した水に気泡を混入することで洗浄液の見かけ上の体積が大きくなり、ボウル１の内面に洗浄液が広く行き渡るため、洗浄液による防汚効果を一層高めることができる。なお上記気泡混入装置１０はボウル１内の溜水の水位を通常水位から中水位に変更する際に給水手段３によりボウル１内に供給される水（即ち図４及び図５においてプレ洗浄に用いられる水）にのみ気泡を供給するものであっても良いし、これ以外の給水手段３によりボウル１内に供給される水にも洗剤を供給するものであっても良い。また図６では気泡混入装置１０及び洗剤供給装置９の両方を設けたが一方のみを設けても良いものとする。
【００３１】
また上記制御手段は、着座検知手段８により便座２に人が着座した場合に給水手段３によりボウル１内に水を供給してボウル１内の溜水の水位を通常水位から中水位に変更し、この後、着座検知手段８により設定時間ｔ４継続して便座２に人が着座したことを検知した場合に給水手段３によりボウル１内に水を供給してボウル１内の溜水の水位を中水位から高水位に変更するものであり、つまり着座検知手段８の検知結果に基づいてボウル１内の溜水の水位を通常水位から中水位を経て高水位にまで段階的に上昇させるものあるが、例えば着座検知手段８により便座２に人が着座した時点から設定時間ｔ４が経過するまでは給水手段３からボウル１内に水を供給せず溜水の水位を変更せずに通常水位とし、この後、着座検知手段８により便座２に人が着座した時点から設定時間ｔ４が経過した時点でボウル１内に水を供給してボウル１内の溜水の水位を通常水位から高水位に変更するようにしても良い。
【００３２】
さらには上記水位変更手段として給水手段３を操作する操作部１２を設けても良い。具体的には図７のようにスイッチからなる洗浄用操作部１１の近傍に、操作部１２として大便用スイッチ１２ａ及び女性小便用スイッチ１２ｂを設けている。そして女性小便用スイッチ１２ｂが手動で操作された場合には、制御部７は上記実施例と同様にこの時点で開閉弁３ｂを予め設定された一定時間ｔ３だけ開にし、これによりボウル１内に所定量の水を供給してボウル１内の溜水の水位を通常水位から中水位に変更する。また大便用スイッチ１２ａが手動で操作された場合には、制御部７はこの時点で開閉弁３ｂを前記女性小便用スイッチ１２ｂが操作された時に開閉弁３ｂが開にされた時間ｔ３よりも長い一定時間だけ開にし、これによりボウル１内に所定量の水を供給してボウル１内の溜水の水位を通常水位から高水位に変更する。
【００３３】
このように給水手段３を操作する操作部で水位変更手段を構成することができ、この場合にも男性小便、女性小便、男性大便及び女性大便の３種類の使用形態に対応して、ボウル１内の溜水の水位を変更できる。
【００３４】
なお上記いずれの実施例にあっても便器装置の洗浄方式はターントラップ式であるが、トラップ部としてサイフォン式トラップを設けてサイフォン作用によりボウル１内の水を排水するサイフォン式としたり、また洗い落とし式としても良いものとする。
【図面の簡単な説明】
【００３５】
【図１】本発明の実施の形態の一例の便器装置を示す説明図である。
【図２】同上の便器装置のブロック図である。
【図３】男性が小便する場合における着座検知手段、給水手段、ターントラップの状態を示すタイムチャートである。
【図４】女性が小便する場合における着座検知手段、給水手段、ターントラップの状態を示すタイムチャートである。
【図５】男性又は女性が大便する場合における着座検知手段、給水手段、ターントラップの状態を示すタイムチャートである。
【図６】他例の便器装置を示す説明図である。
【図７】さらに他例の便器装置の操作部を示す正面図である。
【符号の説明】
【００３６】
１  ボウル
２  便座
３  給水手段
１２  操作部
【図１】
2007224524.tif 000003
【図２】
2007224524.tif 000004
【図３】
2007224524.tif 000005
【図４】
2007224524.tif 000006
【図５】
2007224524.tif 000007
【図６】
2007224524.tif 000008
【図７】
2007224524.tif 000009